【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
スラリー濃度の特定方法であって、
樹脂を含むスラリーを第一のクロマトグラフィーカラムに添加する工程、
ある体積の液体を前記第一のクロマトグラフィーカラムにある流量でポンプによって送り込む工程、
第二のクロマトグラフィーカラムが採用する圧密速度と一致するように前記流量を制御して、前記第一のクロマトグラフィーカラムに圧密樹脂を形成する工程であって、前記体積の液体が、自動ポンプシステムによって前記第一のクロマトグラフィーカラムに送り込まれる、工程、
前記ポンプによって送り込む工程の終了後、前記第一のクロマトグラフィーカラムの前記圧密樹脂の床高さを測定する工程、及び
前記測定された床高さから前記第二のクロマトグラフィーカラムに充填するスラリー濃度を特定する工程
を含む、前記方法。
【請求項２】
前記液体が、脱イオン水、蒸留水、精製水、生理食塩水、または有機溶媒である、請求項１に記載の方法。
【請求項３】
前記スラリーを添加する工程が、前記クロマトグラフィーカラムに水を添加すること、及び前記スラリーを約５分〜約１時間沈降させることを、ポンプによる送り込みの前にさらに含む、請求項１に記載の方法。
【請求項４】
第二のクロマトグラフィーカラムを充填するために前記特定されたスラリー濃度を使用する工程をさらに含む、請求項１に記載の方法。
【請求項５】
前記第二のクロマトグラフィーカラムがある圧密速度を含み、前記流量が前記圧密速度と同等である、請求項４に記載の方法。
【請求項６】
前記自動ポンプシステムがシリンジを含む、請求項１に記載の方法。
【請求項７】
カラム充填時のクロマトグラフィー用樹脂スラリーのスラリー濃度を特定するための方法であって、
樹脂を含むスラリーをクロマトグラフィーカラムに添加する工程、
自動ポンプを一定流量で一定時間運転するように設定する工程、
圧密樹脂を形成するために、ある体積の液体を前記クロマトグラフィーカラムに第二のクロマトグラフィーカラムが採用する圧密速度と一致する流量でポンプによって送り込む工程であって、前記体積の液体が、前記自動ポンプによって前記クロマトグラフィーカラムに送り込まれる、工程、
前記ポンプによって送り込む工程の終了後、前記圧密樹脂の床高さを測定する工程、及び
前記測定された床高さからスラリー濃度を特定する工程
を含む、前記方法。
【請求項８】
前記自動ポンプを中断し、前記クロマトグラフィーカラムを通る液体の流れを停止して前記樹脂を沈降させる工程、及び
前記ポンプによって送り込む工程の終了前に前記ポンプを再開して前記クロマトグラフィーカラムに液体を流す工程
をさらに含む、請求項７に記載の方法。
【請求項９】
前記ポンプによる送り込みが、複数の期間中断される、請求項８に記載の方法。
【請求項１０】
前記ポンプによる送り込みが、１〜６０分間中断される、請求項８または９に記載の方法。
【請求項１１】
前記設定する工程が、前記スラリーに使用される樹脂の種類に基づいて流量を与えることをさらに含む、請求項７に記載の方法。
【請求項１２】
前記流量が、約２０ｃｍ／時間〜約１５００ｃｍ／時間の範囲である、請求項１１に記載の方法。
【請求項１３】
前記スラリーを前記クロマトグラフィーカラムに添加する前に前記スラリーを混合する工程をさらに含む、請求項７に記載の方法。
【請求項１４】
前記液体が、脱イオン水、蒸留水、精製水、生理食塩水、または有機溶媒である、請求項７に記載の方法。
【請求項１５】
カラム充填時のクロマトグラフィー用樹脂スラリーのスラリー濃度を特定するための方法であって、
樹脂を含むスラリーを提供する工程、
前記スラリーを混合して前記樹脂を均一に分布させる工程、
前記スラリーをクロマトグラフィーカラムに添加する工程、
制御装置を有するポンプと前記ポンプに動作可能に結合されたシリンジとを含む自動シリンジポンプシステムを提供する工程であって、前記自動シリンジポンプシステムが、ある体積の水を、前記クロマトグラフィーカラムにポンプによって送り込むように構成され、前記制御装置が、前記体積の水の流量を、前記流量が樹脂を充填する第二のクロマトグラフィーカラムが採用する圧密速度と一致するように制御するように構成されている、工程、
圧密樹脂を形成するために、前記体積の水を前記クロマトグラフィーカラムに一定流量でポンプによって送り込む工程、
前記ポンプによって送り込む工程の終了後に、前記圧密樹脂の床高さを測定する工程、
前記測定された床高さからスラリー濃度を特定する工程、
前記第二のクロマトグラフィーカラムに前記特定されたスラリー濃度を入力する工程、及び
前記特定されたスラリー濃度を使用して前記第二のクロマトグラフィーカラムに前記樹脂を充填する工程
を含む、前記方法。
【請求項１６】
前記流量が、約３０ｃｍ／時間〜約６０ｃｍ／時間の範囲である、請求項１５に記載の方法。
【請求項１７】
前記第二のクロマトグラフィーカラムがある圧密速度を含み、前記流量が前記圧密速度と同等である、請求項１５に記載の方法。
【請求項１８】
前記第二のクロマトグラフィーカラムがある圧密速度を含み、前記流量が前記圧密速度とは異なる、請求項１５に記載の方法。
【請求項１９】
前記充填された第二のクロマトグラフィーカラムが、目標床高さの１ｃｍ以内の床高さを有する、請求項１５に記載の方法。
【請求項２０】
自動ポンプが、所定の時間または複数の時間にわたってオン及びオフを繰り返すようにプログラムされている、請求項１、７、または１５に記載の方法。
【手続補正２】
【補正対象書類名】明細書
【補正対象項目名】０００９
【補正方法】変更
【補正の内容】
【０００９】
さらに別の実施形態では、本発明は、カラム充填時のクロマトグラフィー用樹脂スラリーのスラリー濃度の特定方法を含み、これには、樹脂を含むスラリーを提供する工程、該スラリーを混合して該樹脂を均一に分布させる工程、該スラリーをクロマトグラフィーカラムに添加する工程、制御装置を有するポンプ及び該ポンプに動作可能に結合されたシリンジを含む自動シリンジポンプシステムを提供する工程であって、該自動シリンジポンプシステムが、ある体積の水を、該クロマトグラフィーカラムにポンプによって送り込むように構成され、該制御装置が、該体積の水の流量を、該流量が一定時間不変であるように制御するように構成されている、工程、圧密樹脂を形成するために、該体積の水を該クロマトグラフィーカラムに該一定流量でポンプによって送り込む工程、該ポンプによって送り込む工程の終了後に、該圧密樹脂の床高さを測定する工程、測定された床高さからスラリー濃度を特定する工程、第二のクロマトグラフィーカラムに特定されたスラリー濃度を入力する工程、ならびに特定されたスラリー濃度を使用して該第二のクロマトグラフィーカラムに該樹脂を充填する工程が含まれる。いくつかの実施形態では、該流量は、約３０ｃｍ／時間〜約６０ｃｍ／時間の範囲である。別の実施形態では、該第二のクロマトグラフィーカラムは、ある圧密速度を含み、該流量は該圧密速度と同等である。他の実施形態では、該第二のクロマトグラフィーカラムは、ある圧密速度を含み、該流量は該圧密速度とは異なる。さらに他の実施形態では、充填された第二のクロマトグラフィーカラムは、目標床高さの１ｃｍ以内の床高さを有する。
[本発明1001]
スラリー濃度の特定方法であって、
樹脂を含むスラリーを第一のクロマトグラフィーカラムに添加する工程、
圧密樹脂を形成するために、ある体積の液体を前記クロマトグラフィーカラムに一定流量でポンプによって送り込む工程であって、前記体積の液体が、自動ポンプシステムによって前記クロマトグラフィーカラムに送り込まれる、工程、
前記ポンプによって送り込む工程の終了後、前記圧密樹脂の床高さを測定する工程、及び
前記測定された床高さからスラリー濃度を特定する工程
を含む、前記方法。
[本発明1002]
前記液体が、脱イオン水、蒸留水、精製水、生理食塩水、または有機溶媒である、本発明1001の方法。
[本発明1003]
前記スラリーを添加する工程が、前記クロマトグラフィーカラムに水を添加すること、及び前記スラリーを約5分〜約1時間沈降させることを、ポンプによる送り込みの前にさらに含む、本発明1001の方法。
[本発明1004]
第二のクロマトグラフィーカラムを充填するために前記特定されたスラリー濃度を使用する工程をさらに含む、本発明1001の方法。
[本発明1005]
前記第二のクロマトグラフィーカラムがある圧密速度を含み、前記流量が前記圧密速度と同等である、本発明1004の方法。
[本発明1006]
前記自動ポンプシステムが、ポンプに動作可能に結合されたシリンジを含む、本発明1001の方法。
[本発明1007]
カラム充填時のクロマトグラフィー用樹脂スラリーのスラリー濃度を特定するための方法であって、
樹脂を含むスラリーをクロマトグラフィーカラムに添加する工程、
自動ポンプを一定流量で一定時間運転するように設定する工程、
圧密樹脂を形成するために、ある体積の液体を前記クロマトグラフィーカラムに前記一定流量でポンプによって送り込む工程であって、前記体積の液体が、前記自動ポンプによって前記クロマトグラフィーカラムに送り込まれる、工程、
前記ポンプによって送り込む工程の終了後、前記圧密樹脂の床高さを測定する工程、及び
前記測定された床高さからスラリー濃度を特定する工程
を含む、前記方法。
[本発明1008]
前記自動ポンプを中断し、前記クロマトグラフィーカラムを通る液体の流れを停止して前記樹脂を沈降させる工程、及び
前記ポンプによって送り込む工程の終了前に前記ポンプを再開して前記クロマトグラフィーカラムに液体を流す工程
をさらに含む、本発明1007の方法。
[本発明1009]
前記ポンプによる送り込みが、複数の期間中断される、本発明1008の方法。
[本発明1010]
前記ポンプによる送り込みが、1〜60分間中断される、本発明1008または1009の方法。
[本発明1011]
前記設定する工程が、前記スラリーに使用される樹脂の種類に基づいて流量を与えることをさらに含む、本発明1007の方法。
[本発明1012]
前記流量が、約20ｃｍ／時間〜約1500ｃｍ／時間の範囲である、本発明1011の方法。
[本発明1013]
前記スラリーを前記クロマトグラフィーカラムに添加する前に前記スラリーを混合する工程をさらに含む、本発明1007の方法。
[本発明1014]
前記特定されたスラリー濃度を使用して、第二のクロマトグラフィーカラムに前記樹脂を充填する工程をさらに含み、
前記第二のクロマトグラフィーカラムがある圧密速度を含み、前記流量が前記圧密速度と同等である、
本発明1007の方法。
[本発明1015]
前記液体が、脱イオン水、蒸留水、精製水、生理食塩水、または有機溶媒である、本発明1007の方法。
[本発明1016]
カラム充填時のクロマトグラフィー用樹脂スラリーのスラリー濃度を特定するための方法であって、
樹脂を含むスラリーを提供する工程、
前記スラリーを混合して前記樹脂を均一に分布させる工程、
前記スラリーをクロマトグラフィーカラムに添加する工程、
制御装置を有するポンプと前記ポンプに動作可能に結合されたシリンジとを含む自動シリンジポンプシステムを提供する工程であって、前記自動シリンジポンプシステムが、ある体積の水を、前記クロマトグラフィーカラムにポンプによって送り込むように構成され、前記制御装置が、前記体積の水の流量を、前記流量が一定時間不変であるように制御するように構成されている、工程、
圧密樹脂を形成するために、前記体積の水を前記クロマトグラフィーカラムに前記一定流量でポンプによって送り込む工程、
前記ポンプによって送り込む工程の終了後に、前記圧密樹脂の床高さを測定する工程、
前記測定された床高さからスラリー濃度を特定する工程、
第二のクロマトグラフィーカラムに前記特定されたスラリー濃度を入力する工程、及び
前記特定されたスラリー濃度を使用して前記第二のクロマトグラフィーカラムに前記樹脂を充填する工程
を含む、前記方法。
[本発明1017]
前記流量が、約30ｃｍ／時間〜約60ｃｍ／時間の範囲である、本発明1016の方法。
[本発明1018]
前記第二のクロマトグラフィーカラムがある圧密速度を含み、前記流量が前記圧密速度と同等である、本発明1016の方法。
[本発明1019]
前記第二のクロマトグラフィーカラムがある圧密速度を含み、前記流量が前記圧密速度とは異なる、本発明1016の方法。
[本発明1020]
前記充填された第二のクロマトグラフィーカラムが、目標床高さの1ｃｍ以内の床高さを有する、本発明1016の方法。